(57)【要約】      （修正有）【課題】ファンを内蔵したワイヤレス充電器であって、冷却性能をさらに向上させたワイヤレス充電器を提供する。【解決手段】ワイヤレス充電器１は、天側が開放した有底の筐体２と、筐体２の天側を覆うように配置され、且つ、受電コイルを含む充電対象物を支持する支持面３０と、筐体２内における支持面３０よりも筐体２の底側に設けられると共に、受電コイルに対して非接触での充電が可能な送電コイル４と、筐体２内における送電コイル４よりも底側に設けられたファン５と、を備える。支持面３０には、外縁側から中央側に向けて延びる溝３０５が少なくとも一つ形成される。ファン５は、支持面３０の外縁側から溝３０５を通過して送電コイル４へ向かう風を生じさせる。【選択図】図２
2020043721.tif 000002
【特許請求の範囲】
【請求項１】
天側が開放した有底の筐体と、
前記筐体の天側を覆うように配置され且つ受電コイルを含む充電対象物を支持する支持面と、
前記筐体内における前記支持面よりも前記筐体の底側に設けられると共に、前記受電コイルに対して非接触での充電が可能な送電コイルと、
前記筐体内における前記送電コイルよりも前記底側に設けられたファンと、
を備え、
前記支持面には、外縁側から中央側に向けて延びる溝が少なくとも一つ形成され、
前記ファンは、前記支持面の外縁側から前記溝を通過して前記送電コイルへ向かう風を生じさせる、ワイヤレス充電器。
【請求項２】
前記支持面は、中央に位置する中央面部を有し、
前記支持面には、前記溝の前記中央面部側の端部と前記筐体内とを連通する連通孔が形成されている、請求項１に記載のワイヤレス充電器。
【請求項３】
前記支持面は、前記中央面部の周囲に設けられると共に、該中央面部と比べて前記天側に位置し、且つ、前記充電対象物を支持する外周面部を有し、
前記溝は、前記外周面部に配置されると共に、前記外周面部において外縁から内縁まで延びている、請求項２に記載のワイヤレス充電器。
【発明の詳細な説明】
【技術分野】
【０００１】
本発明は、スマートフォン等の機器の充電や該機器への給電が可能なワイヤレス充電器であって、冷却用のファンが設けられたワイヤレス充電器に関する。
【背景技術】
【０００２】
従来、スマートフォン等の充電対象物をワイヤレス充電可能なワイヤレス充電器として、ファンを内蔵したワイヤレス充電器が公知である（非特許文献１）。例えば、ワイヤレス充電器は、筐体と、筐体内に設けられたコイル及びファンと、を有する。このワイヤレス充電器は、コイルを含む充電対象物を充電可能である。具体的に、ワイヤレス充電器では、筐体に充電対象物が載置されると、充電対象物のコイルとワイヤレス充電器のコイルとの間に電磁誘導が生じる。これにより、ワイヤレス充電器が、充電対象物の充電を行うことができる。また、ワイヤレス充電器は、同様に、充電対象物への給電も行うことができる。このワイヤレス充電器では、筐体に充電対象物が載置された状態でファンが作動することにより、ファンにより生じる風を充電対象物に吹き付けることで充電対象物の熱を逃すことができる。
【先行技術文献】
【非特許文献】
【０００３】
【非特許文献１】“Amazon EverBright Qi ワイヤレス充電器 急速 ワイヤレスチャージャーQuick Charge 2.0 iPhone（登録商標） X / 8 / 8 Plus / Galaxy S8 / S8 Plus /S7 / S7 Edge / S6 / S6 Edge / Note 8 / Note 5 対応 他のQi対応機種 qi 充電器”、［平成３０年７月３０日検索］、インターネット〈URL：https://www.amazon.co.jp/dp/B07BCF2JDK/ref=sspa_dk_detail_0?psc=1&pd_rd_i=B07BCF2JDK〉
【発明の概要】
【発明が解決しようとする課題】
【０００４】
しかしながら、上記ワイヤレス充電器では、充電対象物の冷却が不十分となるおそれがあった。
【０００５】
本発明は、ファンを内蔵したワイヤレス充電器であって、冷却性能をさらに向上させたワイヤレス充電器を提供することを目的とする。
【課題を解決するための手段】
【０００６】
本発明のワイヤレス充電器は、天側が開放した有底の筐体と、前記筐体の天側を覆うように配置され且つ受電コイルを含む充電対象物を支持する支持面と、前記筐体内における前記支持面よりも前記筐体の底側に設けられると共に、前記受電コイルに対して非接触での充電が可能な送電コイルと、前記筐体内における前記送電コイルよりも前記底側に設けられたファンと、を備え、前記支持面には、外縁側から中央側に向けて延びる溝が少なくとも一つ形成され、前記ファンは、前記支持面の外縁側から前記溝を通過して前記送電コイルへ向かう風を生じさせる。
【０００７】
かかる構成によれば、ファンにより生じる風は、外縁側から中央面部側に向けて溝を通過するため、充電対象物に当たった後に、送電コイルに当たる。よって、充電対象物を外部（外縁側）から中央面部側に引き込んだ空気により、直接的に冷やすことができる。
【０００８】
前記ワイヤレス充電器では、前記支持面は、中央に位置する中央面部を有し、前記支持面には、前記溝の前記中央面部側の端部と前記筐体内とを連通する連通孔が形成されてもよい。
【０００９】
かかる構成によれば、支持面の外縁側から中央面部側へ延びる溝が、その中央面部側の端部において、筐体内に連通する連通孔に連通するので、筐体内への吸い込みを確保できる。よって、溝を通過して送電コイルへ向かう風がスムーズに流れるため、冷却性能を確保できる。
【００１０】
前記ワイヤレス充電器では、前記支持面は、前記中央面部の周囲に設けられると共に、該中央面部と比べて前記天側に位置し、且つ、前記充電対象物を支持する外周面部を有し、前記溝は、前記外周面部に配置されると共に、前記外周面部において外縁から内縁まで延びてもよい。
【００１１】
かかる構成によれば、ファンにより生じる風が、筐体内だけでなく、充電対象物と中央面部との間にも流れるため、充電対象物における中央面部と重なる部位を冷やすことができる。
【発明の効果】
【００１２】
以上より、本発明によれば、ファンを内蔵したワイヤレス充電器であって、冷却性能をさらに向上させたワイヤレス充電器を提供することができる。
【図面の簡単な説明】
【００１３】
【図１】図１は、本実施形態に係るワイヤレス充電器の斜視図である。
【図２】図２は、前記充電器の分解斜視図である。
【図３】図３は、前記充電器の平面図である。
【図４】図４は、充電対象物が配置された状態の前記充電器の平面図である。
【図５】図５は、図３のＶ−Ｖ位置における断面図である。
【図６】図６は、図５の一部拡大図である。
【発明を実施するための形態】
【００１４】
以下、本発明の実施形態について、図１〜図６を参照しつつ説明する。ワイヤレス充電器は、例えば、スマートフォン、タブレット端末等の充電対象物に対して非接触な状態において、無線によりこの充電対象物を充電可能な充電器である。
【００１５】
図１に示すように、ワイヤレス充電器１（以下、単に「充電器１」とも称する）は、天側が開放した有底の筐体２と、筐体２の天側（図１における上側）を覆うように配置され、且つ、充電対象物を支持する支持面３０と、を備える。また、充電器１は、図２に示すように、筐体２内における支持面３０よりも筐体２の底側（図１における下側）に設けられた送電コイル４と、筐体２内における送電コイル４よりも底側に設けられたファン５と、を備える。本実施形態の充電器１は、支持面３０を有する支持部材３、支持面３０と送電コイル４との間に配置されたフィルター８、送電コイル４等が載置される基台４０、ファン５が載置される仕切り板５０、及び、筐体２の底面に設けられた滑り止め２０等を備える。
【００１６】
本実施形態の充電器１は、図４に示すように、充電対象物であるスマートフォン９を支持面３０に載置することで、スマートフォン９に内蔵され且つ受電コイル９１を含む電池パック９０を充電する。また、本実施形態の充電器１では、スマートフォン９が、図５に示すように、床Ｓと平行な姿勢で配置された支持面３０に載置される。尚、本実施形態の充電器１により充電中のスマートフォン９は、操作可能であってもよい。例えば、充電器１は、スマートフォン９で動画を閲覧しながら、このスマートフォン９を充電（給電）可能であってもよい。
【００１７】
筐体２は、天側が開口し且つ底側が閉塞した形状を有する（図１参照）。本実施形態の筐体２は、天側から底側に延びる筒状の側部２１と、側部２１の底側を閉塞する底部２２と、を含む（図２参照）。側部２１の外周面は、例えば、滑らかな湾曲面である。側部２１の天側の端縁である端縁２１０及び側部２１の底側の端縁２１１は、いずれも、略円形状を有する。側部２１の内周面には、それぞれ支持面３０の面方向における内側に突設する突設部位２１２が複数設けられている。本実施形態の突設部位２１２は、ファン５と比べて筐体２の天側に形成されている（図５参照）。
【００１８】
また、側部２１には、側部２１の厚み方向に貫通した貫通孔である通風孔２１３や挿通孔２１４が設けられている（図２参照）。通風孔２１３は、筐体２内と筐体２の外方との間で空気を流通させる孔である。筐体２内とは筐体２で囲まれる内側の領域であり、筐体２の外方とは筐体２から露出した外側の領域である。本実施形態の通風孔２１３は、複数設けられている。また、本実施形態の通風孔２１３は、ファン５と比べて筐体２の底側に形成されている（図５参照）。さらに、本実施形態の複数の通風孔２１３は、端縁２１０、２１１の周方向において等間隔をあけて配置されている（図２参照）。挿通孔２１４は、外部電源と送電コイル４やファン５を電気的に接続するケーブルを挿通可能である。底部２２は、板状であり、例えば、略円板状である。また、底部２２は、滑り止め２０を介して床Ｓに載置される（図５参照）。滑り止め２０の形状は、例えば、円板状である。滑り止め２０の材質は、例えば、ゴムやシリコンである。
【００１９】
支持部材３は、略円板状の部材であり、筐体２の天側に配置されている（図１、図２参照）。本実施形態の支持部材３は、支持面３０の面方向における中央に位置する中央部３２と、面方向における外縁を含む外縁部３３と、中央部３２及び外縁部３３を連結する連結部３４と、を有する（図１、図３参照）。中央部３２の形状は、円板状である。外縁部３３の形状は、円環板状である。外縁部３３は、中央部３２の周囲に配置されている。連結部３４の形状は、円環板状である。連結部３４は、中央部３２の外縁と外縁部３３の内縁とを連結している。
【００２０】
支持面３０は、支持部材３における筐体２の天側に位置する主面である。例えば、支持面３０は、略円形状を有する。また、支持面３０は、面方向における中央に位置する中央面部３００を有する。また、本実施形態の支持面３０は、中央面部３００の周囲に設けられる外周面部３０１を有する。さらに、本実施形態の支持面３０は、中央面部３００と外周面部３０１とを連結する連結面部３０２を有する。
【００２１】
本実施形態の支持面３０は、凹凸形状を有する。具体的に、支持面３０には、支持面３０の外縁３０４側から中央面部３００に向けて延びる溝３０５が少なくとも一つ設けられている。溝３０５は、支持面３０において底側に向けて凹設されている。また、溝３０５は、支持面３０の面方向において外縁３０４側から中央面部３００側へ向けて空気を通過させる。本実施形態の支持面３０では、溝３０５は複数設けられている。また、本実施形態の溝３０５は、外周面部３０１に配置されている。さらに、本実施形態の溝３０５は、外周面部３０１において、面方向における外縁から内縁まで延びている。
【００２２】
また、本実施形態の支持面３０は凹凸形状を有するため、支持面３０の法線方向における位置、即ち、充電器１を床Ｓに設置したときの床Ｓから支持面３０までの高さが不均一である（図５参照）。具体的に、外周面部３０１は、中央面部３００と比べて筐体２の天側に位置する。即ち、中央面部３００は、外周面部３０１と比べて筐体２の底側に位置している。また、連結面部３０２は、中央面部３００と比べて筐体２の底側に位置する。以上の構成により、外周面部３０１は、支持面３０にスマートフォン９を設置した場合、スマートフォン９に接触した状態で、スマートフォン９を支持することから、溝３０５によりスマートフォン９との間に外周通風路Ｆ１を形成する。連結面部３０２は、支持面３０にスマートフォン９を設置した場合、スマートフォン９に対して筐体２の底側に離間する。中央面部３００は、支持面３０にスマートフォン９を設置した場合、スマートフォン９に対して筐体２の底側に離間することにより、スマートフォン９との間に天側中央通風路Ｆ２を形成する。
【００２３】
さらに、本実施形態の支持面３０には、溝３０５の中央面部３００側の端部３０５０と筐体２内とを連通する連通孔３０６が設けられている（図１、図３参照）。即ち、連通孔３０６は、筐体２の外方と筐体２内とを連通している。連通孔３０６は、溝３０５の端部３０５０から筐体２内に空気を通過させる。連通孔３０６は、支持面３０の面方向において、溝３０５よりも中央面部３００側に位置している。本実施形態の連通孔３０６は、連結面部３０２に配置されている。即ち、本実施形態の連通孔３０６は、支持面３０の面方向において、外縁３０４と中央面部３００との間に位置している。
【００２４】
隣り合う溝３０５の間隔は、複数の溝３０５の並び方向において一定である。具体的に、複数の溝３０５は、外周面部３０１の周方向において等間隔をあけて配置されている。各溝３０５は、いずれも同じ形状である。また、各溝３０５の幅、深さ等の寸法は、いずれも同じである。本実施形態の溝３０５は、支持面３０の面方向において外周面部３０１の外縁から内縁まで延びている。また、本実施形態の溝３０５は、支持面３０の法線方向から視たとき、略矩形状を有している。さらに、本実施形態の溝３０５は、支持面３０の法線方向から視たとき、放射状に配置されている。具体的に、複数の溝３０５の各々は、外縁３０４から中央面部３００の中心に向かって直線状に延びている。
【００２５】
隣り合う連通孔３０６の間隔は、複数の連通孔３０６の並び方向において一定である。具体的に、複数の連通孔３０６は、連結面部３０２の周方向において等間隔をあけて配置されている。各連通孔３０６は、いずれも同じ形状である。また、各連通孔３０６の幅等の寸法は、いずれも同じである。本実施形態の連通孔３０６は、支持面３０の面方向において連結面部３０２の外縁から内縁まで延びている。また、本実施形態の連通孔３０６は、略矩形状を有している。また、本実施形態の複数の連通孔３０６の少なくとも一つは、支持面３０の法線方向から視たとき、外周面部３０１に形成された溝３０５（例えば、溝３０５の端部３０５０）と連続している。さらに、本実施形態の連通孔３０６は、放射状に配置されている。具体的に、複数の連通孔３０６の各々は、支持面３０の面方向において連結面部３０２の外縁から中央面部３００の中心に向かって直線状に延びている。
【００２６】
本実施形態の支持部材３は、支持部材３の厚み方向において支持面３０の反対側に位置する反対面３１を有する。反対面３１は、支持面３０と比べて筐体２の底側に位置する主面である。反対面３１は、略円形状を有する。また、反対面３１は、面方向における中央に位置する中央反対面３１０と、中央反対面３１０の周囲に設けられる外周反対面３１１と、中央反対面３１０と外周反対面３１１とを連結する連結反対面３１２と、を有する。中央反対面３１０は、支持部材３の厚み方向から視たとき、中央面部３００に重なる。また、中央反対面３１０は、送電コイル４に対して筐体２の天側に離間することにより、送電コイル４との間に、底側中央通風路Ｆ３を形成する（図５参照）。外周反対面３１１は、支持部材３の厚み方向から視たとき、外周面部３０１に重なる。連結反対面３１２は、支持部材３の厚み方向から視たとき、連結面部３０２に重なる。また、連結反対面３１２は、連通孔３０６の底側の端縁を規定している。
【００２７】
尚、本実施形態の支持部材３は、カバー６と、蓋部７とを含んでいる（図２参照）。そのため、支持面３０は、カバー６の主面のうち筐体２の天側に位置するカバー天面６０と、蓋部７の主面のうち筐体２の天側に位置する蓋部天面７０の一部とを含む。尚、蓋部７は、筐体２の底側に位置する蓋部底面７３も有している。
【００２８】
蓋部７の形状は、略円板状である。蓋部７の材質は、例えば、ＡＢＳ樹脂である。本実施形態の蓋部７は、蓋部７の中央に位置する蓋中央部位７１と、蓋中央部位７１の周りに位置する蓋環状部位７２と、を含む。蓋部７は、筐体２の突設部位２１２の天側の端面２１２０に基台４０を介して載置されることで、筐体２の天側に配置されている。本実施形態の蓋部７は、例えば、螺子により基台４０に固定されている。
【００２９】
蓋中央部位７１は、筐体２内を閉塞する円板状の部位である。また、蓋部天面７０の蓋中央部位７１に対応する蓋中央天面７００は、中央面部３００を構成している。本実施形態の蓋中央部位７１は、蓋部底面７３の蓋中央部位７１に対応する蓋中央底面７０１から底側に突設した突設部位７１２を有する（図５参照）。この蓋中央部位７１では、突設部位７１２は複数配置されている。複数の突設部位７１２は、蓋中央部位７１の周方向において間隔をあけて配置されている。
【００３０】
蓋環状部位７２は、円環形状を有し、且つ、蓋部天面７０の面方向において内側に位置する内側蓋環状部位７２１と、円環形状を有し、且つ、この面方向において外側に位置する外側蓋環状部位７２２を有する（図２参照）。外側蓋環状部位７２２は、この面方向において、内側蓋環状部位７２１の外縁と連続している。内側蓋環状部位７２１は、この面方向において、蓋中央部位７１の外縁と連続している。また、内側蓋環状部位７２１には、支持面３０に設けられた連通孔３０６として、貫通孔７２３が設けられている。
【００３１】
蓋部天面７０の内側蓋環状部位７２１に対応する部位は、連結面部３０２を構成している。本実施形態の蓋部天面７０では、内側蓋環状部位７２１に対応する部位が、蓋中央部位７１に対応する部位よりも筐体２の底側に位置している。また、蓋部天面７０では、内側蓋環状部位７２１に対応する部位が、外側蓋環状部位７２２に対応する部位よりも筐体２の底側に位置している。
【００３２】
カバー６の形状は、円環板状である。カバー６は、スマートフォン９の支持面３０に対する相対位置を規制する部材である。また、カバー６は、滑り止めである。カバー６の材質の摩擦係数は、スマートフォン９の載置面９２の材質の摩擦係数よりも大きくてもよい。また、カバー６の材質の摩擦係数は、蓋部７の材質の摩擦係数よりも大きくてもよい。具体的には、カバー６の材質は、天然ゴム、合成ゴム、ＥＶＡ樹脂、ＰＶＣ樹脂等のゴムや樹脂等である。
【００３３】
本実施形態のカバー天面６０は、外周面部３０１を構成している。また、本実施形態のカバー天面６０は、凹凸形状を有する。具体的に、カバー天面６０には、支持面３０に設けられた溝３０５として、カバー６の外縁６１側から中央側に向けて延びる溝６２が設けられている。カバー６は、蓋部７に載置される。具体的に、カバー６は、外側蓋環状部位７２２に載置される。本実施形態のカバー６は、例えば、接着剤や両面テープにより外側蓋環状部位７２２に固定されている。
【００３４】
以上の構成により、支持部材３を支持面３０側から平面視すると、面方向の外側から内側にかけて、カバー６、蓋部７の内側蓋環状部位７２１、蓋中央部位７１が順に並んで配置される。
【００３５】
送電コイル４は、外部電源と有線接続可能である。また、送電コイル４は、この送電コイル４が外部電源と接続され、且つ、スマートフォン９の受電コイル９１が所定距離以内の間隔をあけた状態で重ねられたとき、受電コイル９１との間に電磁誘導が生じる。これにより、送電コイル４は、受電コイル９１に対して非接触でワイヤレス充電が可能である。本実施形態の送電コイル４のサイズは、受電コイル９１のサイズと略同一である（図２参照）。具体的に、本実施形態の送電コイル４の半径は、例えば、受電コイル９１の半径と略同一である。また、本実施形態の送電コイル４は、中央に貫通孔４２が設けられた円板４１を介して、基台４０に載置されている。具体的に、送電コイル４は、この送電コイル４の中心を貫通孔４２の中心と重ねた状態で、基台４０に載置されている。
【００３６】
基台４０は、筐体２の突設部位２１２に載置されている。また、基台４０は、中央に貫通孔４３が設けられた中央部４４と、中央部４４と比べて筐体２の天側に位置する外周部４６と、を含む（図２参照）。本実施形態の基台４０は、中央部４４を囲み筐体２の底側から天側に延びる筒状部４５も含む。外周部４６は、蓋部７を支持している。筒状部４５は、中央部４４の外縁と外周部４６の内縁とを接続している。
【００３７】
中央部４４は、中央部４４の筐体２の天側に位置する面である天面４４０から天側に突設した突設部位４４１を有する。突設部位４４１における支持面３０の面方向における外縁は、筒状部４５に連続している。また、突設部位４４１の天側に位置する突設天面４４４は、支持面３０の面方向における内側に位置する内側突設天面４４２と、面方向における外側に位置する外側突設天面４４３とを含む。内側突設天面４４２は、外側突設天面４４３よりも筐体２の底側に位置している。内側突設天面４４２は、円板４１を介して送電コイル４を支持している。そのため、送電コイル４の底側の面４０２と中央部４４の天面４４０との間には空間αが生じる（図５参照）。尚、本実施形態の中央部４４は、蓋中央部位７１の突設部位７１２も支持している。外側突設天面４４３は、フィルター８を支持している。
【００３８】
フィルター８は、複数の貫通孔が設けられた板部材、或いは、網部材である。また、フィルター８の形状は、円環状である。フィルター８の材質は、例えば、熱伝導性の高い材質である。具体的に、フィルター８の材質は、例えば、金属である。本実施形態のフィルター８は、支持面３０の法線方向から視たとき、連通孔３０６と重なる位置に配置されている。
【００３９】
ファン５は、外部電源と有線接続可能である。また、ファン５は、外部電源と接続された状態において、筐体２の天側から底側へ向かう風を生じさせることが可能である。具体的に、ファン５は、支持面３０の外縁３０４側から溝３０５を通過して送電コイル４へ向かう風を生じさせることが可能である。本実施形態のファン５は、生じさせた風を流通させる流通口５１を有する。また、本実施形態のファン５は、仕切り板５０を介して筐体２に載置されている。尚、本実施形態のファン５は、送電コイル４による受電コイル９１に対する充電や給電の開始から完了までの間、風を生じさせる。
【００４０】
以上の構成により、本実施形態の充電器１では、筐体２の内側において天側から底側にかけて、カバー６、蓋部７、フィルター８、送電コイル４、基台４０、ファン５、仕切り板５０が順に並んで配置されている。
【００４１】
さらに、以上の充電器１における風の流れについて、図５及び図６を用いて具体的に説明する。ファン５により生じる風は、支持面３０の面方向における外側から外周通風路Ｆ１を流れて、連通孔３０６において二つの通風路、例えば、天側中央通風路Ｆ２及び底側中央通風路Ｆ３に分岐する。具体的に、この風は、スマートフォン９の載置面９２に沿って外周通風路Ｆ１及び天側中央通風路Ｆ２を流れると共に、送電コイル４の天側の面４０１に沿って底側中央通風路Ｆ３を含む内部通風路Ｆ４を流れる。天側中央通風路Ｆ２を通った風の一部は、支持面３０の中心において、面方向における風が流れてきた方向と反対側から流れてきた風と衝突して、風が流れてきた方向と異なる方向へと流れ出る。例えば、スマートフォン９の長手方向における両端から外周通風路Ｆ１及び天側中央通風路Ｆ２を流れてきた風は、支持面３０の中心において衝突し、スマートフォン９の短手方向の両側に向きを変えて流れ出る。内部通風路Ｆ４を通った風は、筐体２内から筐体２に形成された通風孔２１３を介して筐体２の外方へ流れる。
【００４２】
外周通風路Ｆ１は、支持面３０の外縁３０４側から溝３０５内を介して連通孔３０６まで延び、且つ、外周面部３０１とスマートフォン９の載置面９２とで区画される。
【００４３】
天側中央通風路Ｆ２は、連通孔３０６の入口（連通孔３０６の支持面３０で囲まれる部位）から支持面３０の面方向における支持面３０の中心まで延び、且つ、中央面部３００とスマートフォン９の載置面９２とで区画される。
【００４４】
内部通風路Ｆ４は、連通孔３０６の入口から連通孔３０６の出口（連通孔３０６の反対面３１で囲まれる部位）まで延び、且つ、連通孔３０６で構成される流入通風路Ｆ５と、連通孔３０６の出口から送電コイル４の天側の面４０１における内側の端縁まで延び、且つ、中央反対面３１０と送電コイル４の天側の面４０１とで区画される底側中央通風路Ｆ３と、を含む（図６参照）。また、内部通風路Ｆ４は、送電コイル４の天側の面４０１における内側の端縁から基台４０の貫通孔４３の出口（貫通孔４３の中央部４４における筐体２の底側の面で囲まれる部位）まで延び、且つ、送電コイル４の内側、円板４１の貫通孔４２、及び、基台４０の貫通孔４３で構成される第一流出通風路Ｆ６を含む。さらに、内部通風路Ｆ４は、基台４０の貫通孔４３からファン５の流通口５１まで延び、流通口５１からファン５の内部を介して通風孔２１３まで延びると共に、通風孔２１３を介して筐体２の外方まで延びる第二流出通風路Ｆ６を含む（図５参照）。
【００４５】
以上の充電器１によれば、ファン５により生じる風は、支持面３０の外縁３０４側から中央面部３００側に向けて溝３０５を通過するため、充電対象物に当たった後に、送電コイル４に当たる。よって、スマートフォン９を外部（外縁３０４側）から中央面部３００側に引き込んだ空気により、直接的に冷やすことができる。
【００４６】
本実施形態の充電器１によれば、支持面３０の外縁３０４側から中央面部３００側へ延びる溝３０５が、その中央面部３００側の端部３０５０において、筐体２内に連通する連通孔３０６に連通するので、筐体２内への吸い込みを確保できる。よって、溝３０５を通過して送電コイル４へ向かう風がスムーズに流れるため、冷却性能を確保できる。具体的に、支持面３０において、中央面部３００の周囲に連通孔３０６が配置されると共に、溝３０５が放射状に形成されているため、ファン５により生じる風が、中央面部３００において渋滞（混雑して滞留）する前に、連通孔３０６から筐体２内へ吸い込まれることにより、スムーズに流れる。
【００４７】
また、本実施形態の充電器１によれば、ファン５により生じる風が、筐体２内だけでなくスマートフォン９と支持面３０の中央面部３００との間にも流れるため、スマートフォン９における中央面部３００と重なる部位を冷やすことができる。
【００４８】
さらに、本実施形態の充電器１によれば、ファン５により生じる風は、支持面３０の外縁３０４側から溝３０５を通過した後、即ち、外周通風路Ｆ１を通過した後に、中央面部３００とスマートフォン９との間を支持面３０の中心側に流れる天側中央通風路Ｆ２と、中央反対面３１０と送電コイル４との間を反対面３１の中心側に流れる底側中央通風路Ｆ３とに分岐して流れるため、スマートフォン９に加えて送電コイル４も冷やすことができる。具体的に、天側中央通風路Ｆ２を流れる風は、スマートフォン９（受電コイル９１）と中央面部３００を冷やすことができる。また、底側中央通風路Ｆ３を流れる風は、送電コイル４と中央反対面３１０を冷やすことができる。
【００４９】
本実施形態の充電器１によれば、底側中央通風路Ｆ３を流れた風が、流出通風路Ｆ６にも流れる、即ち送電コイル４の内側にも流れるため、送電コイル４を内方及び外方の両方から冷やすことができる。
【００５０】
また、本実施形態の充電器１によれば、送電コイル４で生じた熱の一部が、円板４１及び内側突設天面４４２を介して突設部位４４１に伝わり、この伝わった熱が外側突設天面４４３を介してフィルター８に伝わり、フィルター８から放出される。このように、送電コイル４で生じた熱の一部が、フィルター８を介して放熱される。しかも、本実施形態の充電器１によれば、フィルター８は連通孔３０６の直下に配置されているため、送電コイル４で生じた熱がフィルター８に伝わっても、連通孔３０６から流入する風によりフィルター８を効果的に冷やすことができる。
【００５１】
さらに、本実施形態の充電器１によれば、送電コイル４の底側の面４０２と中央部４４の天面４４０との間には空間αがある、即ち、基台４０は中央部４４の天面４４０から送電コイル４を浮かせた状態で支持しているため、送電コイル４で生じた熱は筐体２内の底側に伝わりにくい。そのため、この熱がファン５等の筐体２内の底側に配置された部材に影響を与えにくい。
【００５２】
本実施形態の充電器１によれば、ファン５よりも筐体２の底側に通風孔２１３が配置されているため、筐体２内に天側から流れ込んできた風を、底側から筐体２の外方へスムーズに排出できる。
【００５３】
本実施形態の充電器１によれば、カバー６は、滑り止めであるため、受電コイル９１を送電コイル４に重ねた状態でスマートフォン９を支持面３０に載置すると、スマートフォン９の位置がずれにくく、スマートフォン９の充電を適切に行うことができる。
【００５４】
尚、本発明の充電器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５５】
例えば、上記実施形態の充電器１では、スマートフォン９が、床Ｓと平行な姿勢で配置された支持面３０に載置されていたが、床Ｓに対して傾斜した姿勢で配置された支持面３０に載置されてもよい。例えば、充電器１は、スマートフォン９を立てかけた状態で充電可能なスタンドタイプの充電器であってもよい。また、充電器１の形状は、矩形状の支持面３０を有する直方体状等であってもよい。さらに、充電器１は、筐体２、送電コイル４、及び、ファン５を備えていればよく、例えば、フィルター８等を備えていなくてもよい。
【００５６】
上記実施形態の支持部材３は、カバー６と蓋部７とを含んでいたが、一つの部材により構成されていてもよい。この場合、支持面３０は、支持部材３を構成する一つの部材における筐体２の天側に位置する面であってもよい。
【００５７】
支持面３０は、溝３０５以外の凹凸形状を含んでいなくてもよい。例えば、支持部材３が平板状の蓋部７のみで構成され、且つ、この平板状の蓋部７の面方向における外周に位置する領域に溝３０５が形成された構成であってもよい。
【００５８】
さらに、支持面３０は、筐体２内を閉塞する部位を含んでいなくてもよい。例えば、中央面部３００に、筐体２内を開放する開口が設けられていてもよい。また、支持面３０が、中央面部３００を備えていなくてもよい。即ち、支持面３０が円環状であってもよい。このように支持面３０が円環状である場合、ファン５により生じた風が、支持面３０の外縁３０４側から溝３０５を通過して送電コイル４へ向かう。また、中央面部３００に貫通孔が設けられ、且つ、溝３０５の形成された外周面部３０１よりも筐体２の底側に位置していれば、支持面３０（例えば、連結面部３０２）は、連通孔３０６を含んでいなくてもよい。この場合においても、ファン５により生じた風が、支持面３０の外縁３０４側から溝３０５を通過して送電コイル４へ向かう。
【００５９】
また、このような場合においても、ファン５により生じる風は、外縁３０４側から中央面部３００側に向けて溝３０５を通過するため、充電対象物に当たった後に、送電コイル４に当たる。よって、スマートフォン９を外部（外縁３０４側）から中央面部３００側に引き込んだ空気により、直接的に冷やすことができる。
【００６０】
隣り合う溝３０５の間隔は、複数の溝３０５の並び方向において均一でなくてもよい。また、支持面３０に設けられる溝３０５の数は、一つであってもよい。支持面３０の法線方向から視たときの溝３０５の形状は、略矩形状に限らず、円環形状、楕円形状、円形状、正方形状その他の多角形状等であってもよく、例えば、連結面部３０２の周方向に連続するよう連結面部３０２に設けられた円環形状であってもよい。また、溝３０５は、直線状に延びていなくてもよく、例えば、外縁３０４側から中央面部３００側に曲線状に延びていてもよい。
【００６１】
連通孔３０６の配置や個数、支持面３０の法線方向から視たときの形状についても、溝と同様に様々な形態を取り得る。例えば、連通孔３０６は、支持面３０の面方向において、溝３０５よりも外縁３０４側に位置していてもよい。また、連通孔３０６は、支持面３０の面方向において、外縁３０４を含む位置に配置されていてもよいし、中央面部３００の中心を含む位置に配置されていてもよい。このような場合においても、ファン５により生じた風が、筐体２の内側と外側とに分岐して流れる。
【００６２】
連通孔３０６は、溝３０５の中央面部３００側の端部３０５０と筐体２内とを連通させていなくてもよい。例えば、支持面３０の法線方向から視たとき、連結面部３０２に形成された連通孔３０６は、外周面部３０１に形成された溝３０５と離間していてもよい。この場合においても、連結面部３０２が溝３０５の形成された外周面部３０１よりも筐体２の底側に位置していれば、ファン５により生じた風が、支持面３０の外縁３０４側から溝３０５を通過して送電コイル４へ向かう。
【００６３】
筐体２に設けられる通風孔２１３の数は一つであってもよい。この場合、通風孔２１３は、筐体２の端縁２１０の周方向において連続する貫通孔であってもよい。尚、筐体２には通風孔２１３が設けられていなくてもよい。
【００６４】
送電コイル４は、電磁誘導以外の現象、例えば、磁界共振により受電コイル９１に充電や給電を行ってもよい。
【００６５】
ファン５は、送電コイル４による受電コイル９１に対する充電や給電の開始から完了までの間の少なくとも一部の期間、例えば、送電コイル４による受電コイル９１に対する充電や給電の開始から完了までの間のうち、スマートフォン９の温度や送電コイル４の温度が一定温度以上となったときに、風を生じさせてもよい。
【符号の説明】
【００６６】
１…充電器（ワイヤレス充電器）、２…筐体、２１…側部、２２…底部、２１０、２１１…端縁、２１２…突設部位、２１２０…端面、２１３…通風孔、２１４…挿通孔、３…支持部材、３０…支持面、３００…中央面部、３０１…外周面部、３０２…連結面部、３０４…外縁、３０５…溝、３０５０…端部、３０６…連通孔、３１…反対面、３１０…中央反対面、３１１…外周反対面、３１２…連結反対面、３２…中央部、３３…外縁部、３４…連結部、４…送電コイル、４０…基台、４０１、４０２…面、４１…円板、４２，４３…貫通孔、４４…中央部、４４０…天面、４４１…突設部位、４４２…内側突設天面、４４３…外側突設天面、４４４…突設天面、４５…筒状部、４６…外周部、５…ファン、５０…仕切り板、５１…流通口、６…カバー、６０…カバー天面、６１…外縁、６２…溝、７…蓋部、７０…蓋部天面、７００…蓋中央天面、７０１…蓋中央底面、７１…蓋中央部位、７１２…突設部位、７２…蓋環状部位、７２１…内側蓋環状部位、７２２…外側蓋環状部位、７２３…貫通孔、７３…蓋部底面、８…フィルター、９…スマートフォン、９０…電池パック、９１…受電コイル、９２…載置面、α…空間、Ｆ１…外周通風路、Ｆ２…天側中央通風路、Ｆ３…底側中央通風路、Ｆ４…内部通風路、Ｆ５…流入通風路、Ｆ６…第一流出通風路、Ｆ７…第二流出通風路、Ｓ…床
【図１】
2020043721.tif 000003
【図２】
2020043721.tif 000004
【図３】
2020043721.tif 000005
【図４】
2020043721.tif 000006
【図５】
2020043721.tif 000007
【図６】
2020043721.tif 000008